(57)【要約】【課題】本発明は自動鉛筆削りペンケースを開示した。【解決手段】ペンケースを含み、前記ペンケースの前端には磁力バックルが固定的に設置され、前記ペンケースの後端にはケース蓋が回転できるように設置され、前記ケース蓋には前記磁力バックルと磁力により吸引し合っている第一磁石が固定的に設置され、前記ペンケースの中には鉛筆チャンバが設置され、前記鉛筆チャンバの後側には鉛筆削りチャンバが設置され、本発明は構造が簡単で、操作が便利で、鉛筆が自動的に回転しながら移動し削り動作を完成し、鉛筆の削り屑を風力で除去でき、クリーニングに便利であり、また、鉛筆の移動位置を自分で確定でき、それにより削られた後の鉛筆先端の長さを自分で決められ、便利に使える。【選択図】図１
2020175635.tif 000002
【特許請求の範囲】
【請求項１】
ペンケースを含み、前記ペンケースの前端には磁力バックルが固定的に設置され、前記ペンケースの後端にはケース蓋が回転できるように設置され、前記ケース蓋には前記磁力バックルと磁力により吸引し合っている第一磁石が固定的に設置され、前記ペンケースの中には鉛筆チャンバが設置され、前記鉛筆チャンバの後側には鉛筆削りチャンバが設置され、前記鉛筆削りチャンバの上端壁には鉛筆削りブロックが固定的に設置され、前記鉛筆削りブロックの中には鉛筆削り溝が設置され、前記鉛筆削り溝の下端には前後に対称している鉛筆削りナイフが固定的に設置され、前記鉛筆削りチャンバの左側には密封装置が設置され、前記鉛筆削りチャンバの後端壁の中には風チャンバが連通し設置され、前記風チャンバの中には回転軸が回転できるように設置され、前記回転軸には羽根が固定的に設置され、前記風チャンバの右側には回転溝が設置され、前記回転溝の中には回転軸により回転筒が回転できるように設置され、前記回転軸にはトーションばねが固定的に設置され、前記回転溝の右側には動力装置が設置され、前記回転軸の右端と前記動力装置とが伝動できるように連結され、前記回転溝の上側には移動チャンバが連通し設置され、前記移動チャンバの中にはネジ山軸が固定的に設置され、前記移動チャンバの中には移動ブロックがスライドできるように設置され、前記移動ブロックの中には前記ネジ山軸とネジ山により連結される回転歯車が回転できるように設置され、前記回転歯車の上側には回転チャンバが設置され、前記回転チャンバの中には前記回転歯車と噛合する回転盤が回転できるように設置され、前記回転盤の中には連通チャンバが設置され、前記連通チャンバの前後には凹溝が連通し設置され、前記凹溝の中には挟みブロックがスライドできるように設置され、前記挟みブロックのうち互いに近接している端面には滑り止めパッドが固定的に設置され、前記挟みブロックの中には鉛筆が挟んで置かれ、前記挟みブロックの上下端にはガイドブロックが対称的に固定的に設置され、前記挟みブロックのうち互いに離れている側と前記凹溝との間には圧力ばねが固定的に設置され、前記回転歯車の下端には平歯車が噛合し連結され、前記平歯車の下端と前記回転筒とが噛合しており、前記移動チャンバの前側には連結チャンバが連通し設置され、前記連結チャンバの中には定位装置が設置され、前記定位装置と前記移動ブロックとが当接し鉛筆削り程度を制御し、
前記鉛筆が回転しながら移動し、前記鉛筆削りナイフの作用により自動的に鉛筆を削ることを特徴とする自動鉛筆削りペンケース。
【請求項２】
前記密封装置は前記鉛筆削りチャンバと連通している開け溝を含み、前記開け溝の中には回転ロッドにより密封板が回転できるように設置され、前記回転ロッドの下端には回転ばねが固定的に設置され、前記密封板には引掛り溝が設置され、前記開け溝の上側と外部との間には引き溝が連通し設置され、前記引き溝の中には前記引掛り溝と引掛って連結されることができる引きロッドがスライドできるように設置され、前記引きロッドの上端と前記引き溝との間には固定ばねが固定的に設置され、
前記密封板が前記鉛筆削りチャンバを閉めることを特徴とする請求項１に記載の自動鉛筆削りペンケース。
【請求項３】
前記動力装置は右側が外部と連通している空き溝を含み、前記空き溝の下端壁にはモータが固定的に設置され、前記空き溝の中にはプッシュロッドがスライドできるように設置され、前記プッシュロッドの下端には前記プッシュロッドを復帰させることができる復帰部品が固定的に設置され、前記プッシュロッドには連通溝が設置され、前記モータの上端には前記連通溝を貫通している動力軸が伝動できるように連結され、前記動力軸には第一傘歯車が固定的に設置され、前記プッシュロッドの左端にはプッシュブロックが固定的に設置され、前記プッシュブロックの左側にはスプライン軸が回転できるように設置され、前記スプライン軸には前記第一傘歯車と噛合する第二傘歯車がスプラインにより連結され、前記空き溝の左端壁の中には前記スプライン軸とスプラインにより連結されることができる軸スリーブが回転できるように設置され、前記軸スリーブの左端と前記回転軸との間がベルトにより伝動できるように連結され、前記空き溝の上側には空きチャンバが連通し設置され、前記動力軸の上端が前記空きチャンバの中に挿入され、前記回転軸の右端が前記空きチャンバの中に挿入され、且つ前記回転軸の右端には第三傘歯車が固定的に設置され、前記空きチャンバの上側にはプッシュチャンバが連通し設置され、前記プッシュチャンバの中には固定ブロックがスライドできるように設置され、前記固定ブロックの中には前記動力軸とスプラインにより連結されるスプラインスリーブが回転できるように設置され、前記スプラインスリーブの下端には前記第三傘歯車と噛合する第四傘歯車が固定的に設置され、
前記モータが作動し前記鉛筆に対し自動的に削り、同時に羽根を駆動し回転させることを特徴とする請求項１に記載の自動鉛筆削りペンケース。
【請求項４】
前記定位装置は前記連結チャンバの中に回転できるように設置される親ねじを含み、前記親ねじの左端が前記鉛筆削りチャンバの中に挿入され、且つ前記親ねじには回転ブロックが固定的に設置され、前記親ねじにはスライドブロックがネジ山により連結され、前記スライドブロックの中には押しブロックがスライドできるように設置され、前記押しブロックの後端壁には当接溝が連通し設置され、前記押しブロックの後端には前記当接溝とスライドできるように連結される当接ブロックが固定的に設置され、前記当接溝の左側には緩衝溝が連通し設置され、前記緩衝溝の中には前記当接ブロックと磁力により吸引し合っている第二磁石がスライドできるように設置され、前記第二磁石の左端と前記緩衝溝との間には圧着ばねが固定的に設置され、前記押しブロックの左側には連結ばねにより連結ブロックが連結され、前記連結ブロックにはロック溝が設置され、前記連結ブロックの後端壁には貫通溝が連通し設置され、前記貫通溝の中には前端が前記ロック溝の中に伸びているロックブロックがスライドできるように設置され、前記ロックブロックと前記貫通溝との間には伸縮ばねが固定的に設置され、前記ロックブロックの右側には右端が前記移動チャンバの中に伸びている移動ロッドがスライドできるように設置され、前記移動ロッドの左端と前記ロックブロックとが当接し、前記移動ロッドの後端面には前記移動ロッドを復帰させることができる復帰機構が固定的に設置され、前記当接溝の後端壁の中には旋転軸により回しロッドが回転できるように設置され、前記回しロッドの前端が前記移動ロッドを貫通しており、且つ前記当接溝の中に挿入され、且つ前記第二磁石の下側に位置しており、前記回しロッドの後端が前記鉛筆の上側に位置しており、前記旋転軸には復帰ばねが固定的に設置され、前記連結ブロックの前端には連接ブロックが当接し設置され、前記スライドブロックには押し溝が設置され、前記連接ブロックの前端が前記押し溝の中に伸びており、且つ前記連接ブロックの前端には押しロッドが固定的に設置され、前記押しロッドの前端と前記押し溝との間には押圧ばねが固定的に設置され、前記連結チャンバの右側には開けチャンバが連通し設置され、前記開けチャンバの中には上端が前記押しロッドと回転できるように連結される連結ロッドが回転できるように設置され、前記連結ロッドの下端には固定ロッドが回転できるように設置され、前記開けチャンバと前記プッシュチャンバとが連通しており、前記固定ロッドの下端が前記プッシュチャンバの中に伸びており、且つ前記固定ブロックと固定的に連結され、
前記スライドブロックが前記回転盤の移動位置を制限できることを特徴とする請求項１に記載の自動鉛筆削りペンケース。
【発明の詳細な説明】
【技術分野】
【０００１】
本発明は学習用品技術分野を取り上げて、具体的には自動鉛筆削りペンケースである。
【背景技術】
【０００２】
現在のペンケースとペンシルシャープナーとが独立的に設置され、使用するためいつでも携帯する必要があり、また、人工で鉛筆を削ることは効率が低いだけではなく、手も汚れやすく、操作が不便である。
従って、既存技術のペンケースを更に改善する必要があり、それによりペンケースとペンシルシャープナーとの使用利便性を高める。
【先行技術文献】
【特許文献】
【０００３】
【特許文献１】中国特許出願公開第１０８７９０５２０号明細書
【発明の概要】
【発明が解決しようとする課題】
【０００４】
本発明の目的は自動鉛筆削りペンケースを提供し、それは上記の現在の技術中の問題を解決できる。
【課題を解決するための手段】
【０００５】
本発明の自動鉛筆削りペンケースは、ペンケースを含み、前記ペンケースの前端には磁力バックルが固定的に設置され、前記ペンケースの後端にはケース蓋が回転できるように設置され、前記ケース蓋には前記磁力バックルと磁力により吸引し合っている第一磁石が固定的に設置され、前記ペンケースの中には鉛筆チャンバが設置され、前記鉛筆チャンバの後側には鉛筆削りチャンバが設置され、前記鉛筆削りチャンバの上端壁には鉛筆削りブロックが固定的に設置され、前記鉛筆削りブロックの中には鉛筆削り溝が設置され、前記鉛筆削り溝の下端には前後に対称している鉛筆削りナイフが固定的に設置され、前記鉛筆削りチャンバの左側には密封装置が設置され、前記鉛筆削りチャンバの後端壁の中には風チャンバが連通し設置され、前記風チャンバの中には回転軸が回転できるように設置され、前記回転軸には羽根が固定的に設置され、前記風チャンバの右側には回転溝が設置され、前記回転溝の中には回転軸により回転筒が回転できるように設置され、前記回転軸にはトーションばねが固定的に設置され、前記回転溝の右側には動力装置が設置され、前記回転軸の右端と前記動力装置とが伝動できるように連結され、前記回転溝の上側には移動チャンバが連通し設置され、前記移動チャンバの中にはネジ山軸が固定的に設置され、前記移動チャンバの中には移動ブロックがスライドできるように設置され、前記移動ブロックの中には前記ネジ山軸とネジ山により連結される回転歯車が回転できるように設置され、前記回転歯車の上側には回転チャンバが設置され、前記回転チャンバの中には前記回転歯車と噛合する回転盤が回転できるように設置され、前記回転盤の中には連通チャンバが設置され、前記連通チャンバの前後には凹溝が連通し設置され、前記凹溝の中には挟みブロックがスライドできるように設置され、前記挟みブロックのうち互いに近接している端面には滑り止めパッドが固定的に設置され、前記挟みブロックの中には鉛筆が挟んで置かれ、前記挟みブロックの上下端にはガイドブロックが対称的に固定的に設置され、前記挟みブロックのうち互いに離れている側と前記凹溝との間には圧力ばねが固定的に設置され、前記回転歯車の下端には平歯車が噛合し連結され、前記平歯車の下端と前記回転筒とが噛合しており、前記移動チャンバの前側には連結チャンバが連通し設置され、前記連結チャンバの中には定位装置が設置され、前記定位装置と前記移動ブロックとが当接し鉛筆削り程度を制御し、
前記鉛筆が回転しながら移動し、前記鉛筆削りナイフの作用により自動的に鉛筆を削る。
【０００６】
さらなる技術プラン、前記密封装置は前記鉛筆削りチャンバと連通している開け溝を含み、前記開け溝の中には回転ロッドにより密封板が回転できるように設置され、前記回転ロッドの下端には回転ばねが固定的に設置され、前記密封板には引掛り溝が設置され、前記開け溝の上側と外部との間には引き溝が連通し設置され、前記引き溝の中には前記引掛り溝と引掛って連結されることができる引きロッドがスライドできるように設置され、前記引きロッドの上端と前記引き溝との間には固定ばねが固定的に設置され、
前記密封板が前記鉛筆削りチャンバを閉める。
【０００７】
さらなる技術プラン、前記動力装置は右側が外部と連通している空き溝を含み、前記空き溝の下端壁にはモータが固定的に設置され、前記空き溝の中にはプッシュロッドがスライドできるように設置され、前記プッシュロッドの下端には前記プッシュロッドを復帰させることができる復帰部品が固定的に設置され、前記プッシュロッドには連通溝が設置され、前記モータの上端には前記連通溝を貫通している動力軸が伝動できるように連結され、前記動力軸には第一傘歯車が固定的に設置され、前記プッシュロッドの左端にはプッシュブロックが固定的に設置され、前記プッシュブロックの左側にはスプライン軸が回転できるように設置され、前記スプライン軸には前記第一傘歯車と噛合する第二傘歯車がスプラインにより連結され、前記空き溝の左端壁の中には前記スプライン軸とスプラインにより連結されることができる軸スリーブが回転できるように設置され、前記軸スリーブの左端と前記回転軸との間がベルトにより伝動できるように連結され、前記空き溝の上側には空きチャンバが連通し設置され、前記動力軸の上端が前記空きチャンバの中に挿入され、前記回転軸の右端が前記空きチャンバの中に挿入され、且つ前記回転軸の右端には第三傘歯車が固定的に設置され、前記空きチャンバの上側にはプッシュチャンバが連通し設置され、前記プッシュチャンバの中には固定ブロックがスライドできるように設置され、前記固定ブロックの中には前記動力軸とスプラインにより連結されるスプラインスリーブが回転できるように設置され、前記スプラインスリーブの下端には前記第三傘歯車と噛合する第四傘歯車が固定的に設置され、
前記モータが作動し前記鉛筆に対し自動的に削り、同時に羽根を駆動し回転させる。
【０００８】
さらなる技術プラン、前記定位装置は前記連結チャンバの中に回転できるように設置される親ねじを含み、前記親ねじの左端が前記鉛筆削りチャンバの中に挿入され、且つ前記親ねじには回転ブロックが固定的に設置され、前記親ねじにはスライドブロックがネジ山により連結され、前記スライドブロックの中には押しブロックがスライドできるように設置され、前記押しブロックの後端壁には当接溝が連通し設置され、前記押しブロックの後端には前記当接溝とスライドできるように連結される当接ブロックが固定的に設置され、前記当接溝の左側には緩衝溝が連通し設置され、前記緩衝溝の中には前記当接ブロックと磁力により吸引し合っている第二磁石がスライドできるように設置され、前記第二磁石の左端と前記緩衝溝との間には圧着ばねが固定的に設置され、前記押しブロックの左側には連結ばねにより連結ブロックが連結され、前記連結ブロックにはロック溝が設置され、前記連結ブロックの後端壁には貫通溝が連通し設置され、前記貫通溝の中には前端が前記ロック溝の中に伸びているロックブロックがスライドできるように設置され、前記ロックブロックと前記貫通溝との間には伸縮ばねが固定的に設置され、前記ロックブロックの右側には右端が前記移動チャンバの中に伸びている移動ロッドがスライドできるように設置され、前記移動ロッドの左端と前記ロックブロックとが当接し、前記移動ロッドの後端面には前記移動ロッドを復帰させることができる復帰機構が固定的に設置され、前記当接溝の後端壁の中には旋転軸により回しロッドが回転できるように設置され、前記回しロッドの前端が前記移動ロッドを貫通しており、且つ前記当接溝の中に挿入され、且つ前記第二磁石の下側に位置しており、前記回しロッドの後端が前記鉛筆の上側に位置しており、前記旋転軸には復帰ばねが固定的に設置され、前記連結ブロックの前端には連接ブロックが当接し設置され、前記スライドブロックには押し溝が設置され、前記連接ブロックの前端が前記押し溝の中に伸びており、且つ前記連接ブロックの前端には押しロッドが固定的に設置され、前記押しロッドの前端と前記押し溝との間には押圧ばねが固定的に設置され、前記連結チャンバの右側には開けチャンバが連通し設置され、前記開けチャンバの中には上端が前記押しロッドと回転できるように連結される連結ロッドが回転できるように設置され、前記連結ロッドの下端には固定ロッドが回転できるように設置され、前記開けチャンバと前記プッシュチャンバとが連通しており、前記固定ロッドの下端が前記プッシュチャンバの中に伸びており、且つ前記固定ブロックと固定的に連結され、
前記スライドブロックが前記回転盤の移動位置を制限できる。
【発明の効果】
【０００９】
本発明の有益的な効果は：本発明は構造が簡単で、操作が便利で、鉛筆が自動的に回転しながら移動し削り動作を完成し、鉛筆の削り屑を風力で除去でき、クリーニングに便利であり、また、鉛筆の移動位置を自分で確定でき、それにより削られた後の鉛筆先端の長さを自分で決められ、便利に使える。
【図面の簡単な説明】
【００１０】
説明しやすいため、本発明は以下の具体的な実施例と付図を交え詳しく説明する。
【００１１】
【図１】図１は本発明の自動鉛筆削りペンケースが使用する装置の内部全体構造概略図
【図２】図２は本発明の図１のＡの拡大構造概略図
【図３】図３は本発明の図１のＢ−Ｂ方向の構造概略図
【図４】図４は本発明の図３のＣの拡大構造概略図
【図５】図５は本発明の図３のＤの拡大構造概略図
【図６】図６は本発明の図５のＥ−Ｅ方向の構造概略図
【図７】図７は本発明の図５のＦ−Ｆ方向の構造概略図
【図８】図８は本発明の図１のＧの拡大構造概略図
【図９】図９は本発明の図５のＨの拡大構造概略図
【発明を実施するための形態】
【００１２】
下記に図１−９をあわせて本発明について詳しく説明し、便利に説明するために、下記の方向を以下のように規定する：以下に述べる上下左右前後の方向と図１の自身投影関係の上下左右前後の方向とが一致である。
【００１３】
図１−９を参照し、本発明の自動鉛筆削りペンケースは、ペンケース１０を含み、前記ペンケース１０の前端には磁力バックル１２が固定的に設置され、前記ペンケース１０の後端にはケース蓋１３が回転できるように設置され、前記ケース蓋１３には前記磁力バックル１２と磁力により吸引し合っている第一磁石１４が固定的に設置され、前記ペンケース１０の中には鉛筆チャンバ１１が設置され、前記鉛筆チャンバ１１の後側には鉛筆削りチャンバ１５が設置され、前記鉛筆削りチャンバ１５の上端壁には鉛筆削りブロック１６が固定的に設置され、前記鉛筆削りブロック１６の中には鉛筆削り溝１７が設置され、前記鉛筆削り溝１７の下端には前後に対称している鉛筆削りナイフ１８が固定的に設置され、前記鉛筆削りチャンバ１５の左側には密封装置１００が設置され、前記鉛筆削りチャンバ１５の後端壁の中には風チャンバ１９が連通し設置され、前記風チャンバ１９の中には回転軸２０が回転できるように設置され、前記回転軸２０には羽根２１が固定的に設置され、前記風チャンバ１９の右側には回転溝４３が設置され、前記回転溝４３の中には回転軸４５により回転筒４４が回転できるように設置され、前記回転軸４５にはトーションばね８０が固定的に設置され、前記回転溝４３の右側には動力装置２００が設置され、前記回転軸４５の右端と前記動力装置２００とが伝動できるように連結され、前記回転溝４３の上側には移動チャンバ３１が連通し設置され、前記移動チャンバ３１の中にはネジ山軸４２が固定的に設置され、前記移動チャンバ３１の中には移動ブロック３２がスライドできるように設置され、前記移動ブロック３２の中には前記ネジ山軸４２とネジ山により連結される回転歯車４０が回転できるように設置され、前記回転歯車４０の上側には回転チャンバ７８が設置され、前記回転チャンバ７８の中には前記回転歯車４０と噛合する回転盤７９が回転できるように設置され、前記回転盤７９の中には連通チャンバ３３が設置され、前記連通チャンバ３３の前後には凹溝３４が連通し設置され、前記凹溝３４の中には挟みブロック３５がスライドできるように設置され、前記挟みブロック３５のうち互いに近接している端面には滑り止めパッド３９が固定的に設置され、前記挟みブロック３５の中には鉛筆３８が挟んで置かれ、前記挟みブロック３５の上下端にはガイドブロック３６が対称的に固定的に設置され、前記挟みブロック３５のうち互いに離れている側と前記凹溝３４との間には圧力ばね３７が固定的に設置され、前記回転歯車４０の下端には平歯車４１が噛合し連結され、前記平歯車４１の下端と前記回転筒４４とが噛合しており、前記移動チャンバ３１の前側には連結チャンバ４６が連通し設置され、前記連結チャンバ４６の中には定位装置３００が設置され、前記定位装置３００と前記移動ブロック３２とが当接し鉛筆削り程度を制御し、
前記鉛筆３８が回転しながら移動し、前記鉛筆削りナイフ１８の作用により自動的に鉛筆を削る。
【００１４】
有益的には、前記密封装置１００は前記鉛筆削りチャンバ１５と連通している開け溝２３を含み、前記開け溝２３の中には回転ロッド２６により密封板２４が回転できるように設置され、前記回転ロッド２６の下端には回転ばね２７が固定的に設置され、前記密封板２４には引掛り溝２５が設置され、前記開け溝２３の上側と外部との間には引き溝２８が連通し設置され、前記引き溝２８の中には前記引掛り溝２５と引掛って連結されることができる引きロッド２９がスライドできるように設置され、前記引きロッド２９の上端と前記引き溝２８との間には固定ばね３０が固定的に設置され、
前記密封板２４が前記鉛筆削りチャンバ１５を閉める。
【００１５】
有益的には、前記動力装置２００は右側が外部と連通している空き溝６８を含み、前記空き溝６８の下端壁にはモータ６７が固定的に設置され、前記空き溝６８の中にはプッシュロッド６９がスライドできるように設置され、前記プッシュロッド６９の下端には前記プッシュロッド６９を復帰させることができる復帰部品７０が固定的に設置され、前記プッシュロッド６９には連通溝７１が設置され、前記モータ６７の上端には前記連通溝７１を貫通している動力軸６４が伝動できるように連結され、前記動力軸６４には第一傘歯車６６が固定的に設置され、前記プッシュロッド６９の左端にはプッシュブロック７３が固定的に設置され、前記プッシュブロック７３の左側にはスプライン軸７４が回転できるように設置され、前記スプライン軸７４には前記第一傘歯車６６と噛合する第二傘歯車７５がスプラインにより連結され、前記空き溝６８の左端壁の中には前記スプライン軸７４とスプラインにより連結されることができる軸スリーブ７６が回転できるように設置され、前記軸スリーブ７６の左端と前記回転軸２０との間がベルト２２により伝動できるように連結され、前記空き溝６８の上側には空きチャンバ６０が連通し設置され、前記動力軸６４の上端が前記空きチャンバ６０の中に挿入され、前記回転軸４５の右端が前記空きチャンバ６０の中に挿入され、且つ前記回転軸４５の右端には第三傘歯車７７が固定的に設置され、前記空きチャンバ６０の上側にはプッシュチャンバ６１が連通し設置され、前記プッシュチャンバ６１の中には固定ブロック６２がスライドできるように設置され、前記固定ブロック６２の中には前記動力軸６４とスプラインにより連結されるスプラインスリーブ６３が回転できるように設置され、前記スプラインスリーブ６３の下端には前記第三傘歯車７７と噛合する第四傘歯車６５が固定的に設置され、
前記モータ６７が作動し前記鉛筆３８に対し自動的に削り、同時に羽根２１を駆動し回転させる。
【００１６】
有益的には、前記定位装置３００は前記連結チャンバ４６の中に回転できるように設置される親ねじ５５を含み、前記親ねじ５５の左端が前記鉛筆削りチャンバ１５の中に挿入され、且つ前記親ねじ５５には回転ブロック５９が固定的に設置され、前記親ねじ５５にはスライドブロック４７がネジ山により連結され、前記スライドブロック４７の中には押しブロック４９がスライドできるように設置され、前記押しブロック４９の後端壁には当接溝８２が連通し設置され、前記押しブロック４９の後端には前記当接溝８２とスライドできるように連結される当接ブロック５０が固定的に設置され、前記当接溝８２の左側には緩衝溝８３が連通し設置され、前記緩衝溝８３の中には前記当接ブロック５０と磁力により吸引し合っている第二磁石８４がスライドできるように設置され、前記第二磁石８４の左端と前記緩衝溝８３との間には圧着ばね８５が固定的に設置され、前記押しブロック４９の左側には連結ばね８６により連結ブロック８８が連結され、前記連結ブロック８８にはロック溝８７が設置され、前記連結ブロック８８の後端壁には貫通溝９０が連通し設置され、前記貫通溝９０の中には前端が前記ロック溝８７の中に伸びているロックブロック８９がスライドできるように設置され、前記ロックブロック８９と前記貫通溝９０との間には伸縮ばね９２が固定的に設置され、前記ロックブロック８９の右側には右端が前記移動チャンバ３１の中に伸びている移動ロッド９７がスライドできるように設置され、前記移動ロッド９７の左端と前記ロックブロック８９とが当接し、前記移動ロッド９７の後端面には前記移動ロッド９７を復帰させることができる復帰機構９３が固定的に設置され、前記当接溝８２の後端壁の中には旋転軸９６により回しロッド９５が回転できるように設置され、前記回しロッド９５の前端が前記移動ロッド９７を貫通しており、且つ前記当接溝８２の中に挿入され、且つ前記第二磁石８４の下側に位置しており、前記回しロッド９５の後端が前記鉛筆３８の上側に位置しており、前記旋転軸９６には復帰ばね９４が固定的に設置され、前記連結ブロック８８の前端には連接ブロック５１が当接し設置され、前記スライドブロック４７には押し溝５２が設置され、前記連接ブロック５１の前端が前記押し溝５２の中に伸びており、且つ前記連接ブロック５１の前端には押しロッド５４が固定的に設置され、前記押しロッド５４の前端と前記押し溝５２との間には押圧ばね５３が固定的に設置され、前記連結チャンバ４６の右側には開けチャンバ５６が連通し設置され、前記開けチャンバ５６の中には上端が前記押しロッド５４と回転できるように連結される連結ロッド５７が回転できるように設置され、前記連結ロッド５７の下端には固定ロッド５８が回転できるように設置され、前記開けチャンバ５６と前記プッシュチャンバ６１とが連通しており、前記固定ロッド５８の下端が前記プッシュチャンバ６１の中に伸びており、且つ前記固定ブロック６２と固定的に連結され、
前記スライドブロック４７が前記回転盤７９の移動位置を制限できる。
【００１７】
初期状態に、引掛り溝２５と引きロッド２９とが引掛って連結され、スプライン軸７４と軸スリーブ７６とが連結されていない。
【００１８】
装置が作動するとき、鉛筆３８を挟みブロック３５の間にきつく挟み、回転ブロック５９を回転させ親ねじ５５を回転させ、それによりスライドブロック４７が移動し、必要な回転盤７９の移動距離と鉛筆先端の長さによりスライドブロック４７の位置を確定し、そして、モータ６７が作動し、第四傘歯車６５を駆動し回転軸４５を回転連動させ、回転筒４４が平歯車４１を回転連動させ、回転歯車４０を回転させ、ネジ山軸４２の作用により、回転歯車４０が移動ブロック３２を左に移動連動させ、回転盤７９が鉛筆３８を回転連動させまた左に移動させ、鉛筆削りナイフ１８により鉛筆３８を削り、回転盤７９が押しブロック４９を押し左に移動させるとき、連結ばね８６が力を蓄積し、このとき当接ブロック５０と第二磁石８４とが吸引し合い、回転盤７９が左に移動し続け移動ロッド９７を押し左に移動させ、ロックブロック８９が後に移動しロック溝８７と離脱し連結ブロック８８のロックを解除し、連結ブロック８８が左に移動し押しロッド５４を押し前に移動させ、連結ロッド５７により固定ロッド５８を上昇させ、固定ブロック６２がスプラインスリーブ６３を上昇連動させ、第四傘歯車６５と第三傘歯車７７とを離脱させ、回転筒４４が回転を停止し、モータ６７が止め、回転軸４５がトーションばね８０の作用により反転し移動ブロック３２を初期状態に復帰させ、鉛筆の削り屑が鉛筆削りチャンバ１５の中に落ち、鉛筆削りが終わると、引きロッド２９を上に引き引掛り溝２５と離脱させ、密封板２４が鉛筆削りチャンバ１５を開け、プッシュロッド６９を左に押し、スプライン軸７４が左に移動し軸スリーブ７６とスプラインにより連結され、モータ６７が軸スリーブ７６を駆動し回転させ、ベルト２２により羽根２１を回転させ風を生成し、鉛筆削りチャンバ１５の中にある鉛筆の削り屑を鉛筆削りチャンバ１５の外部まで吹き、鉛筆３８を取り出し、次回に鉛筆３８を削ることを待ち、鉛筆３８が挟みブロック３５の間に挟まれるとき、回しロッド９５を押し時計回りに（右視点）回転させ、回しロッド９５の前端が第二磁石８４を回し当接ブロック５０と離脱させ、装置を初期状態に戻す。
【００１９】
本発明の有益的な効果は：本発明は構造が簡単で、操作が便利で、鉛筆が自動的に回転しながら移動し削り動作を完成し、鉛筆の削り屑を風力で除去でき、クリーニングに便利であり、また、鉛筆の移動位置を自分で確定でき、それにより削られた後の鉛筆先端の長さを自分で決められ、便利に使える。
【００２０】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。
【図１】
2020175635.tif 000003
【図２】
2020175635.tif 000004
【図３】
2020175635.tif 000005
【図４】
2020175635.tif 000006
【図５】
2020175635.tif 000007
【図６】
2020175635.tif 000008
【図７】
2020175635.tif 000009
【図８】
2020175635.tif 000010
【図９】
2020175635.tif 000011
【手続補正書】
【提出日】令和1年5月28日(2019.5.28)
【手続補正１】
【補正対象書類名】特許請求の範囲
【補正対象項目名】請求項４
【補正方法】変更
【補正の内容】
【請求項４】
前記定位装置は前記連結チャンバの中に回転できるように設置される親ねじを含み、前記親ねじの左端が前記鉛筆削りチャンバの中に挿入され、且つ前記親ねじには回転ブロックが固定的に設置され、前記親ねじにはスライドブロックがネジ山により連結され、前記スライドブロックの中には押しブロックがスライドできるように設置され、前記押しブロックの後端壁には当接溝が連通し設置され、前記押しブロックの後端には前記当接溝とスライドできるように連結される当接ブロックが固定的に設置され、前記当接溝の左側には緩衝溝が連通し設置され、前記緩衝溝の中には前記当接ブロックと磁力により吸引し合っている第二磁石がスライドできるように設置され、前記第二磁石の左端と前記緩衝溝との間には圧着ばねが固定的に設置され、前記押しブロックの左側には連結ばねにより連結ブロックが連結され、前記連結ブロックにはロック溝が設置され、前記連結ブロックの後端壁には貫通溝が連通し設置され、前記貫通溝の中には前端が前記ロック溝の中に伸びているロックブロックがスライドできるように設置され、前記ロックブロックと前記貫通溝との間には伸縮ばねが固定的に設置され、前記ロックブロックの右側には右端が前記移動チャンバの中に伸びている移動ロッドがスライドできるように設置され、前記移動ロッドの左端と前記ロックブロックとが当接し、前記移動ロッドの後端面には前記移動ロッドを復帰させることができる復帰機構が固定的に設置され、前記当接溝の後端壁の中には旋転軸により回しロッドが回転できるように設置され、前記回しロッドの前端が前記移動ロッドを貫通しており、且つ前記当接溝の中に挿入され、且つ前記第二磁石の下側に位置しており、前記回しロッドの後端が前記鉛筆の上側に位置しており、前記旋転軸には復帰ばねが固定的に設置され、前記連結ブロックの前端には連接ブロックが当接し設置され、前記スライドブロックには押し溝が設置され、前記連接ブロックの前端が前記押し溝の中に伸びており、且つ前記連接ブロックの前端には押しロッドが固定的に設置され、前記押しロッドの前端と前記押し溝との間には押圧ばねが固定的に設置され、前記連結チャンバの右側には開けチャンバが連通し設置され、前記開けチャンバの中には上端が前記押しロッドと回転できるように連結される連結ロッドが回転できるように設置され、前記連結ロッドの下端には固定ロッドが回転できるように設置され、前記開けチャンバと前記プッシュチャンバとが連通しており、前記固定ロッドの下端が前記プッシュチャンバの中に伸びており、且つ前記固定ブロックと固定的に連結され、
前記スライドブロックが前記回転盤の移動位置を制限できることを特徴とする請求項３に記載の自動鉛筆削りペンケース。